(57)【要約】【課題】前枠を一人作業でも容易に取り付けることができる屋根構造体およびその施工方法を提供することを目的としている。【解決手段】垂木本体部材21の端部に前キャップ部材22を固定し、キャップ本体22ａと屋根部1との間に嵌合溝8を形成するとともに、傾斜面を備えた前枠係止部24cがキャップ本体22aの上方で上下動可能にビスを緩めた状態で前枠固定金具24の垂木固定部24aを垂木本体部材21に仮止めする。  その後、前枠3の嵌入部32を嵌合溝8に下部ガイド部32bのつめ部32cを前枠係止部24cに当接させてその傾斜によって前枠係止部24cをつめ部32cが通過可能な高さまで押し上げて、つめ部32cが前枠係止部24cの奥まで入り込むまで押し込み、自重で下方に下がってきた前枠係止部24cにつめ部32cが係止可能な仮固定状態にしたのち、前枠3を本固定できるようにした。【選択図】      図１５
2020012286.tif 000002
【特許請求の範囲】
【請求項１】
屋根面を形成する屋根材が複数本の垂木によって下方から支持され、前記屋根面が少なくとも一側に向かって下降する傾斜面を有する屋根部と、
前記傾斜面の下流で、前記垂木に支持されるとともに、前記傾斜面を流れる雨水を受ける横樋部を有する前枠を備える屋根構造体であって、
前記屋根材が、屋根面を形成する屋根パネルと、前記垂木に支持固定された状態で、前記屋根パネルを下方から支持するパネル支持部材を有し、
前記垂木が、垂木本体部と、この垂木本体部の傾斜下端から延出し、前記パネル支持部材との間に前記傾斜面の下流側に開口を有する嵌合溝を形成する張り出し部と、前記前枠を垂木に固定する前枠固定金具を備え、
前記前枠固定金具が、前枠にビス固定される前枠固定部と、前記嵌合溝内に臨む前記前枠係止部と、前記垂木本体部にビス固定される垂木固定部を備え、
前記前枠が、前記横樋部を有する前枠本体と、この前枠本体から突設され、前記嵌合溝への嵌り込む嵌入部を備え、
前記嵌入部が、前記嵌合溝内に臨んだ状態で前記前枠係止部に仮止め状態に係合する前枠固定金具係止部を有していることを特徴とする屋根構造体。
【請求項２】
前記前枠固定金具係止部と、前記前枠係止部との係止が解除可能な位置まで前記前枠係止部が移動可能に、ビスが緩んだ状態に前記前枠固定金具の垂木固定部を前記垂木本体部に仮固定する工程と、
前記仮固定状態で、前記前枠係止部を前記前枠固定金具係止部との係止が解除可能な位置まで移動させながら、前記前枠固定金具係止部が前記前枠係止部より奥側に入り込むまで前記前枠の前記嵌入部を前記嵌合溝に挿入する工程と、
前記嵌入部の前記嵌合溝への挿入状態を保ちながら、ビスを締め込んで前記垂木固定部を垂木本体部に本固定するとともに、前記前枠固定金具の前枠固定部を前枠にビス固定する工程を備える請求項１に記載の屋根構造体の施工方法。
【請求項３】
前記前枠固定金具係止部が傾斜面を備え、この傾斜面を前記前枠係止部に当接させながら、前記嵌入部を前記嵌合溝に押し込んで、前記前枠係止部を前記前枠固定金具係止部との係止が解除可能な位置まで移動させる請求項２に記載の屋根構造体の施工方法。
【発明の詳細な説明】
【技術分野】
【０００１】
本発明は、たとえば、テラスやカーポートの屋根として使用される屋根構造体およびその施工方法に関する。
【背景技術】
【０００２】
テラスやカーポートの屋根として使用される屋根構造体は、屋根材を下方から支持する垂木の屋根勾配の下流端に横樋部を有する前枠が取り付けられている。
上記前枠の垂木先端への取り付け構造としては、図２４に示すような取り付け構造（特許文献１参照、以下、「構造１」と記す）や、図２５に示すような取り付け構造（特許文献２参照、以下、「構造２」と記す）が提案されている。
【０００３】
上記構造１の場合、前枠１２０の前側（横樋側）を上方に持ち上げつつ、垂木１１０の先端に設けられた係止溝部１１１に、前枠１２０の上板先端に設けられた係合部１２１を係合させたのち、前枠１２０の前側を下方に下げて、図２４に示すように、下板１２２が垂木１１０の下面に当接させることで、前枠１２０を垂木１１０に仮支持し、その後、図示していないが、下板１２２をビスで垂木１１０に固定することによって前枠１２０を垂木１１０に支持固定するようにしている。
【０００４】
一方、上記構造２の場合、以下のようにして、前枠２２０が垂木２１０に固定支持されるようになっている。
（１）前枠２２０を搬送し、図２５（ａ）に示すように、前枠２２０の前端を上方に持ち上げながら、第１係止部２２１ａを垂木２１０の端面に設けられた略Ｔ字形をした切欠部２１１に設けられた第１係止受部２１２に係合させた状態とする。
（２）第１係止部２２１ａを第１係止受部２１２に係合させた状態を保ちながら、前枠２２０の前端側を下方に回動させて、切欠部２１１の開口から第２係止部２２１ｂを切欠部溝２１１内に挿入し、図２５（ｂ）に示すように、第２係止部２２１ｂと第２係止受部２１３を係合させて前枠２２０を垂木２１０の先端に接続した仮設置状態とする。
（３）図２５（ｃ）に示すように、垂木固定部２２２が垂木２１０の下面に密着するように垂木２１０の端面に平行に前枠２２０を持ち上げながら、図示していないが、垂木固定部２２２を垂木２１０の下面にビス固定して前枠２２０を垂木２１０に固定する。
【先行技術文献】
【特許文献】
【０００５】
【特許文献１】特許第4838169号公報
【特許文献２】特開2016-33302号公報
【発明の概要】
【発明が解決しようとする課題】
【０００６】
しかし、上記構造１、２の場合、下板１２２を垂木１１０の下面にビス固定する際、また、垂木固定部２２２を垂木２１０の下面にビス固定する際、係止された仮設置状態では、いずれも前枠１２０（２２０）の前端側が下方に垂れ下がるおそれがある。
したがって、仮設置状態でも、前枠を少なくともいずれかの垂木１１０（２１０）にビス固定されるまで、人が前枠１２０（２２０）を手で支えておかなければならないため、前枠１２０（２２０）が長尺である場合、一人作業での前枠の固定が困難である。
また、いずれの構造の場合も前枠１２０（２２０）の前端側を上下させる動作が必要になるため、前枠の少なくとも前端側で上下方向にある程度のクリアランスを確保する必要がある。
したがって、前枠１２０（２２０）に取り付けられる付属品によって上記クリアランスが確保できない場合、まず、前枠本体から付属品を取り外した状態にして、前枠本体を垂木に先に取り付け、その後付属品を後付けする作業が必要となるため、高所作業が増えるという問題がある。
【０００７】
本発明は、上記事情に鑑みて、前枠を一人作業でも容易に取り付けることができるとともに、高所作業を減らすことができる屋根構造体およびその施工方法を提供することを目的としている。
【課題を解決するための手段】
【０００８】
上記目的を達成するために、本発明にかかる屋根構造体は、屋根面を形成する屋根材が複数本の垂木によって下方から支持され、前記屋根面が少なくとも一側に向かって下降する傾斜面を有する屋根部と、前記傾斜面の下流で、前記垂木に支持されるとともに、前記傾斜面を流れる雨水を受ける横樋部を有する前枠を備える屋根構造体であって、
前記屋根材が、屋根面を形成する屋根パネルと、前記垂木に支持固定された状態で、前記屋根パネルを下方から支持するパネル支持部材を有し、前記垂木が、垂木本体部と、この垂木本体部の傾斜下端から延出し、前記パネル支持部材との間に前記傾斜面の下流側に開口を有する嵌合溝を形成する張り出し部と、前記前枠を垂木に固定する前枠固定金具を備え、前記前枠固定金具が、前枠にビス固定される前枠固定部と、前記嵌合溝内に臨む前記前枠係止部と、前記垂木本体部にビス固定される垂木固定部を備え、前記前枠が、前記横樋部を有する前枠本体と、この前枠本体から突設され、前記嵌合溝への嵌り込む嵌入部を備え、前記嵌入部が、前記嵌合溝内に臨んだ状態で前記前枠係止部に仮止め状態に係合する前枠固定金具係止部を有していることを特徴とする。
【０００９】
本発明にかかる屋根構造体は、特に限定されないが、たとえば、屋根材の幅方向両側に配置される垂木が、屋根材の幅方向両端から内側に入った位置に設けられている構成としてもよい。
すなわち、屋根材の側端がほぼ屋根パネルの厚みだけの薄いものとなり、屋根構造体を側面方向から見たときすっきりとした印象を受ける。
【００１０】
一方、本発明にかかる屋根構造体の施工方法は、前記前枠固定金具係止部と、前記前枠係止部との係止が解除可能な位置まで前記前枠係止部が移動可能に、ビスが緩んだ状態に前記前枠固定金具の垂木固定部を前記垂木本体部に仮固定する工程と、前記仮固定状態で、前記前枠係止部を前記前枠固定金具係止部との係止が解除可能な位置まで移動させながら、前記前枠固定金具係止部が前記前枠係止部より奥側に入り込むまで前記前枠の前記嵌入部を前記嵌合溝に挿入する工程と、前記嵌入部の前記嵌合溝への挿入状態を保ちながら、ビスを締め込んで前記垂木固定部を垂木本体部に本固定するとともに、前記前枠固定金具の前枠固定部を前枠にビス固定する工程を備えることを特徴としている。
【００１１】
本発明にかかる屋根構造体の施工方法は、前記前枠固定金具係止部が傾斜面を備え、この傾斜面を前記前枠係止部に当接させながら、前記嵌入部を前記嵌合溝に押し込んで、前記前枠係止部を前記前枠固定金具係止部との係止が解除可能な位置まで移動させることが好ましい。
すなわち、前枠固定金具が押し込みに伴い垂木固定部側を中心に揺動するため、前枠固定金具に手などを添えたり、別の部材で係止しない位置まで移動させておく必要がなくなり、施工性が向上する。
【００１２】
本発明の屋根構造体は、たとえば、テラスやカーポートの屋根として用いられる。
また、本発明の屋根構造体は、片流れタイプ、屋根中央が高く、中央から両側に向って下降する屋根勾配を備えた切妻屋根タイプやアーチ屋根タイプなどが挙げられる。
なお、片流れタイプの屋根構造体においては、屋根構造体を水下側でのみ、複数本の柱で支持し、水上側は建物躯体に固定してもよいし、水上側も複数本の柱で支持するようにしてもよい。
【００１３】
本発明の屋根構造体に用いる屋根材としては、特に限定されないが、たとえば、ポリカーボネート樹脂、アクリル樹脂などの透明樹脂パネル、アルミニウムと樹脂の積層体パネルが挙げられる。
【発明の効果】
【００１４】
本発明にかかる屋根構造体、以上のように、屋根面を形成する屋根材が複数本の垂木によって下方から支持され、前記屋根面が少なくとも一側に向かって下降する傾斜面を有する屋根部と、前記傾斜面の下流で、前記垂木に支持されるとともに、前記傾斜面を流れる雨水を受ける横樋部を有する前枠を備える屋根構造体であって、
前記屋根材が、屋根面を形成する屋根パネルと、前記垂木に支持固定された状態で、前記屋根パネルを下方から支持するパネル支持部材を有し、前記垂木が、垂木本体部と、この垂木本体部の傾斜下端から延出し、前記パネル支持部材との間に前記傾斜面の下流側に開口を有する嵌合溝を形成する張り出し部と、前記前枠を垂木に固定する前枠固定金具を備え、前記前枠固定金具が、前枠にビス固定される前枠固定部と、前記嵌合溝内に臨む前記前枠係止部と、前記垂木本体部にビス固定される垂木固定部を備え、前記前枠が、前記横樋部を有する前枠本体と、この前枠本体から突設され、前記嵌合溝への嵌り込む嵌入部を備え、前記嵌入部が、前記嵌合溝内に臨んだ状態で前記前枠係止部に仮止め状態に係合する前枠固定金具係止部を有しているので、嵌入部を嵌合溝にまっすぐ差し込むだけで、前枠を仮固定し、その後、垂木本体部に垂木固定部を本固定するとともに、前枠固定部を前枠にビス固定することにより、前枠をしっかりと固定することができる。
【００１５】
そして、仮固定にあたり、前枠をまっすぐ嵌合溝方向にスライドさせるだけでよいので、前枠の上下にクリアランスをとる必要がない。
すなわち、前枠設置部の上下に障害物があっても前枠から付属品を取り外す必要がないため、後作業で付属品を取り付ける必要がなく高所での作業を軽減でき、安全性が高くなる。
また、嵌入部が、嵌合溝内に挿入され、前枠固定金具係止部が前枠係止部に係止された仮固定状態で、前枠の荷重が、垂木の嵌合溝に上下壁で支持されるため、前枠が長尺であっても、大きな力で支えることなく本固定することができる。
したがって、一人作業でも安全に前枠を垂木に固定できる。
【図面の簡単な説明】
【００１６】
【図１】本発明にかかる屋根構造体の１つの実施の形態であるテラス屋根を斜め上方からの斜視図である。
【図２】図１のテラス屋根の斜め下方からの斜視図である。
【図３】図１のテラス屋根の正面図である。
【図４】図１のテラス屋根の背面図である。
【図５】図１のテラス屋根の右側面図である。
【図６】図１のテラス屋根の平面図である。
【図７】図１のテラス屋根の底面図である。
【図８】図５のＸ−Ｘ断面の一部端面図である。
【図９】図５のＹ−Ｙ断面の一部切欠断面図である。
【図１０】図１のテラス屋根の前枠取り付け状態を説明する断面図である。
【図１１】図１のテラス屋根の建物躯体への固定状態を説明する断面図である。
【図１２】図１のテラス屋根の施工方法の１工程を説明する断面図である。
【図１３】図１２の後工程を説明する断面図である。
【図１４】図１３の後工程を説明する断面図である。
【図１５】図１４の後工程を説明する断面図である。
【図１６】図１５の後工程を説明する断面図である。
【図１７】図１６の後工程を説明する断面図である。
【図１８】図１７の後工程を説明する断面図である。
【図１９】図１のテラス屋根の垂木本体部キャップの斜視図である。
【図２０】図１９の垂木本体部キャップの正面図である。
【図２１】図１９のＺ−Ｚ断面図である。
【図２２】図１のテラス屋根の前枠の支持金具の平面図である。
【図２３】図２２のＶ−Ｖ断面図である。
【図２４】従来の屋根構造体の前枠の取り付け構造の１例を説明する図である。
【図２５】従来の屋根構造体の前枠の取り付け構造の他例を説明する図である
【発明を実施するための形態】
【００１７】
以下に、本発明にかかる屋根構造体の実施の形態を図面を参照しつつ詳しく説明する。
図１〜図９は、本発明にかかる屋根構造体の１つの実施の形態であるテラス屋根をあらわしている。
【００１８】
図１〜図９に示すように、このテラス屋根Ａは、屋根部１と、７本の垂木２と、前枠（水下側枠）３と、桁材４と、２本の支柱５と。垂木掛け（水上側枠）６と、を備えている。
屋根部１は、図１に示すように、３枚の屋根パネル１１と、図８に示すように、２本（図８では１本しかあらわれていない）の第１パネル支持部材７ａと、２本（図８では１本しかあらわれていない）の第２パネル支持部材７ｂと、３本（図８では２本しかあらわれていない）の第３パネル支持部材７ｃと、３本（図８では１本しかあらわれていない）の第１パネル押さえ部材７ｄと、図１，３および図８に示すように、１８個の第２パネル押さえ部材７ｅを備えている。
【００１９】
屋根パネル１１としては、特に限定されないが、たとえば、ポリカーボネート樹脂、アクリル樹脂などの透明板材、あるいは、表面に化粧が施されたアルミニウムやアルミニウム合金板の間に合成樹脂製の芯層を設けた複合板等が挙げられる。
そして、屋根パネル１１は、図１に示すように、３枚平行に並べられ、両側の屋根パネル１１と中央の屋根パネル１１の継ぎ目部分が、その下面を、図８に示すように、後述する垂木本体部となる垂木本体部材２１にビス７１によって間欠的に固定された第１パネル支持部材７ａによって下方から受けられている。
また、上記継ぎ目部分では、屋根パネル１１の上面に沿って第１パネル押さえ部材７ｄが配置され、この第１パネル押さえ部材７ｄがビス７２によって第１パネル支持部材７ａにビス固定されることによって、屋根パネル１１の端縁部が第１パネル支持部材７ａと第１パネル押さえ部材７ｄとの間で挟まれて固定状態になっている。
【００２０】
また、３枚の屋根パネル１１のうち、両側に配置された屋根パネル１１は、図７および図８に示すように、屋根パネル側端縁から少し内側に入った位置で、ビス７５によって間欠的に屋根幅方向両側の垂木本体部材２１に固定された第２パネル支持部材７ｂによってその下面を下方から受けられている。
各第２パネル支持部材７ｂを臨む屋根パネル１１の上面には、図６に示すように、９つの第２パネル押さえ部材７ｅが、図８に示すように、シール材７４を介して、等ピッチに配置されている。
【００２１】
そして、第２パネル押さえ部材７ｅは、ビス７３が第２パネル支持部材７ｂおよび垂木本体部材２１にねじ込まれることによって、第２パネル支持部材７ｂとの間に、屋根パネル１１を挟み込んでいる。
さらに、３枚の屋根パネル１１のうち、両側に配置された屋根パネル１１は、その下面が、第１パネル支持部材７ａと、第２パネル支持部材７ｂとの間で、中央に配置された屋根パネルは、その下面が、第１パネル支持部材７ａと第１パネル支持部材７ａの間で、それぞれビス７６によって垂木本体部材２１に固定された第３パネル支持部材７ｃにより下方から受けられている。
【００２２】
垂木２は、垂木本体部材２１と、前キャップ部材２２と、溝部カバー材２３を備えている。
垂木本体部材２１は、アルミニウムあるいはアルミニウム合金からなる型材で形成されていて、図８〜図１８に示すように、筒部２１ａと、溝部２１ｂを備えている。
【００２３】
そして、垂木本体部材２１は、図１１に示すように、その一端部（建物躯体９側端部）が、後述する垂木掛け６を介して建物躯体９に支持されるとともに、図１０に示すように他端近傍で支柱５に支持された桁材４に板金材からなる垂木本体支持金具４１を介して以下のようにして固定されている。
すなわち、垂木本体支持金具４１は、桁材固定部４１ａと、垂木本体固定部４１ｂを備えている。
【００２４】
桁材固定部４１ａは、桁材４に上端に設けられた傾斜面４０に受けられた状態で、ビス４４によって傾斜面４０に沿うように固定されている。
垂木本体固定部４１ｂは、桁材固定部４１ａの桁材４への固定によって、水平面に対し傾斜面４０と同じ角度に傾斜した状態で垂木本体部材２１の溝部２１ｂ内に入り込み、溝部２１ｂの上底面にビス４５によって固定され、垂木本体部材２１を傾斜面４０の角度に規制している。
【００２５】
前キャップ部材２２は、樹脂成形品であって、図１９〜図２１に示すように、張り出し部を構成するキャップ本体２２ａと、固定部２２ｂと、立上り壁部２２ｃを備えている。
キャップ本体２２ａは、垂木本体部材２１の下端部に沿う形状の有底箱状をしていて、底に水抜き孔２２ｄが穿設されている。
【００２６】
固定部２２ｂは、キャップ本体２２ａから延出し、垂木本体部材２１の端面から筒部２１ａへ入り込み,溝部２１ｂ側からねじ込まれたビス２５によって、筒部２１ａの底に固定されている。
立上り壁部２２ｃは、凵形をしていて、垂木本体部材２１の端面に当接している。
【００２７】
そして、前キャップ部材２２は、上記のように垂木本体部材２１に固定された状態で、図１３に示すように、張り出し部としてのキャップ本体２２ａと屋根部１を構成する第１パネル支持部材７ａ，第２パネル支持部材７ｂおよび第３パネル支持部材７ｃとの間に側面視コ字形をした嵌合溝８をそれぞれ形成している。
溝部カバー材２３は、たとえば、アルミニウムあるいはアルミニウム合金の型材で形成されていて、溝部２１ｂに下方から嵌り込み、垂木本体支持金具４１や前キャップ部材２２の固定部２２ｂなどを隠蔽している。
【００２８】
前枠３は、前枠本体３１と、嵌入部３２を備え、アルミニウムあるいはアルミニウム合金からなる型材で形成されている。
【００２９】
嵌入部３２は、前枠本体３１の横樋部３１ａの側壁面から延出するように設けられ、上部ガイド部３２ａ、下部ガイド部３２ｂ、ピラー３２ｄを備えている。
上部ガイド部３２ａおよび下部ガイド部３２ｂは、その嵌入方向前端に内側に傾斜する傾斜面を有するつめ部３２ｃを備えている。
そして、下部ガイド部３２ｂのつめ部３２ｃが後述する前枠固定金具２４の前枠係止部２４ｃが係止可能な前枠固定金具係止部となっている。
【００３０】
また、前枠３は、図９、図１０に示すように、板金材からなる４つ（図では１つしかあらわれていない）の前枠固定金具２４によって第１パネル支持部材７ａおよび第２パネル支持部材７ｂが固定された４つの垂木本体部材２１にそれぞれ固定されている。
すなわち、図２２および図２３に示すように、前枠固定金具２４は、垂木固定部２４ａと、嵌合溝挿入部２４ｂと、前枠固定部２４ｄと、前枠係止部２４ｃを備えている。
【００３１】
垂木固定部２４ａは、垂木本体部材２１の筒部２１ａ内に入り込み、溝部２１ｂ側からねじ込まれたビス２６によって垂木本体部材２１に固定されている。
嵌合溝挿入部２４ｂは、前枠固定部２４ｄがピラー３２ｄに当接するまで、前枠係止部２４ｃとともに上部ガイド部３２ａと下部ガイド部３２ｂとの間に入り込んでいる。
前枠固定部２４ｄは、ピラー３２ｄにビス２７によって固定されている。
【００３２】
つぎに、前枠３の取り付け方法を工程順に詳しく説明する。
（１）図１２に示すように、予め、垂木本体部材２１の上面に第１パネル支持部材７ａ、第２パネル支持部材７ｂ（図１２ではあらわれていない）、第３パネル支持部材７ｃ（図１２ではあらわれていない）をそれぞれビス固定した状態で、垂木本体支持金具４１の桁材固定部４１ａを予め２本の支柱５に掛け渡された桁材４の傾斜面４０にビス４４により固定する。
この固定により、垂木本体固定部４１ｂは、桁材固定部４１ａの桁材４への固定によって、水平面に対し傾斜面４０と同じ角度に傾斜した状態になる。
（２）図１３に示すように、前キャップ部材２２の立上り壁部２２ｃが垂木本体部材２１の端面に当接させた状態で固定部２２ｂを筒部２１ａの底にビス２５により固定する。
（３）図１３に示すように、第１パネル支持部材７ａ、第２パネル支持部材７ｂ（図１２ではあらわれていない）、第３パネル支持部材７ｃが固定された垂木本体部材２１のうち、第１パネル支持部材７ａおよび第２パネル支持部材７ｂが固定された垂木本体部材２１のそれぞれについて、垂木固定部２４ａが垂木本体部材２１の筒部２１ａ内に入り込み、前枠係止部２４ｃがキャップ本体２２ａの上方を臨むように配置した状態で、垂木固定部２４ａを前枠係止部２４ｃが前枠３の下部ガイド部３２ｂのつめ部３２ｃとの係止が解除可能に移動できる状態まで緩めた締め込み状態にビス２６を締め込んで前枠固定部材２４を上下動可能に仮固定する。
（４）図１４に示すように、各垂木本体部材２１の溝部２１ｂに垂木本体固定部４１ｂが嵌り込むとともに、図１１に示すように、垂木掛け６がアンカーボルト６１で建物躯体９に固定された状態にしたのち、図１４に示すように、垂木本体固定部４１ｂを溝部２１ｂの上底部にビス４５によって固定する。
（５）図１４に示すように、前枠３の嵌入部３２を、屋根部１と前キャップ部材２２のキャップ本体２２ａの間に形成される嵌合溝８の前方を臨むように配置する。
（６）前枠３を図１４に示す矢印方向に平行にスライドさせて、図１５に示すように、嵌入部３２を嵌合溝８内に挿入し、下部ガイド部３２ｂのつめ部３２ｃを前枠係止部２４ｃに当接させながら図１６に示すように、つめ部３２ｃが前枠係止部２４ｃより奥側に入り込むまで嵌合溝８の奥側に前枠３を押し込み、前枠３を仮固定状態にする。
すなわち、ビス２６が緩んだ状態になっているので、つめ部３２ｃが前枠係止部２４ｃの傾斜面に当接した状態で、さらに押し込まれると、傾斜面に押圧力が加わり、前枠係止部２４ｃが上方に移動し、つめ部３２ｃが前枠係止部２４ｃの奥側までスムーズに入り込む。そして、つめ部３２ｃが前枠係止部２４ｃより奥側まで入り込むと、前枠係止部２４ｃに上方への押圧がなくなるため、自重によって前枠係止部２４ｃがつめ部３２ｃの上端より下方まで下降する。
したがって、嵌入部３２が嵌合溝８から抜ける方向に力が加わっても、つめ部３２ｃが」前枠係止部２４ｃに係止されて、前枠３の離脱が防止できる仮固定状態となる。
（７）図１７に示すように、前枠固定部２４ｄがピラー３２ｄに当接する状態まで前枠３を押し込み、前枠固定部２４ｄを図９および図１８に示すように、ピラー３２ｄにビス２７によって固定するとともに、ビス２６を締め込んで、垂木固定部２４ａを垂木本体部材２１に本固定する。
（８）図１８に示すように、溝部カバー材２３を溝部２１ｂの下方から、図９に示すように溝部２１ｂに嵌合させる。
（９）嵌入部３２の嵌合溝８に嵌合されない部分の上部ガイド部３２ａと下部ガイド部３２ｂとの隙間を図９、図１０、図１８に示すように蓋３６で塞ぐ。
（１０）図１８に示すように、３枚の屋根パネル１１を第１パネル支持部材７ａ、第２パネル支持部材７ｂ（図１８ではあらわれていない）、第３パネル支持部材７ｃ（図１８ではあらわれていない）に下方から支持されるように敷設するとともに、図１、図８示すように、第１パネル押さえ部材７ｄおよび第２パネル押さえ部材７ｅの上方からビス７２、７３を第１パネル支持部材７ａ，第２パネル支持部材７ｂにねじ込んで、第１パネル支持部材７ａと、第１パネル押さえ部材７ｄの間、および、第２パネル支持部材７ｂと、第２パネル押さえ部材７ｅによって挟み込んだ状態に固定する。
【００３３】
なお、図中、３３は前枠３の端面キャップ、３５は第１パネル支持部材７ａと前枠３の固定用のビス、４２は桁材４の端面キャップ、６４は垂木掛け６の端面キャップ、１１ａは屋根パネル１１の側面カバー、１１ｂは屋根パネル１１の端面カバー材である。
【００３４】
このテラス屋根Ａは、前枠係止部２４ｃが傾斜面を備えているので、前枠３の嵌入部３２を垂木２の嵌合溝８にまっすぐに挿入するだけで、前枠３のつめ部３２ｃが前枠係止部２４ｃに係止される仮固定状態になる。
すなわち、本固定時に前枠３の嵌入部３２が嵌合溝８から抜け落ちそうになっても、つめ部３２ｃが前枠係止部２４ｃに係止されて抜け落ちないため一人作業でも安全に作業できる。
【００３５】
また、仮固定状態で、嵌入部３２が嵌合溝８内にある程度の長さ挿入され、前枠３の荷重が嵌合溝８の壁面で受けられる。
したがって、前枠３が長尺であっても、作業者が一人で少ない力で前枠３２を支えながらビス固定作業を行うことが可能となる。
【００３６】
しかも、前枠３の嵌入部３２を、上部ガイド部３２ａおよび下部ガイド部３２ｂを嵌合溝８の壁面に沿わせながら嵌合溝８にまっすぐ挿入するだけでよいので、前枠３の取り付けに際して前枠３の前端側を斜めに持ち上げたりする必要がない。
したがって、上下方向にクリアランスが少ない場合も、前枠３の付属部材等があっても付属部材を先付けしておくことができ、高所作業を少なくすることができ、作業の安全性が高まる。
【００３７】
本発明は、上記の実施の形態に限定されない。屋根勾配の上流側を建物躯体、下流側を柱で支持するようになっていたが、片持ちでも構わない。
上記の実施の形態では、７本のうち、４本の垂木本体部材に前枠の嵌入部を前枠固定金具によって固定するようにしていたが、全ての垂木本体部材に固定するようにしても構わないし、両端の２本の垂木本体部材に固定するようにしても構わない。すなわち、強度が確保できるのであれば、前枠の固定箇所は少なくても構わず、固定箇所は適宜決定できる。
【００３８】
上記の実施の形態では、垂木本体部材に前キャップ部材を取り付けることにより張り出し部を形成するようにしていたが、垂木本体部材となる型材の一端で、その上端を切り欠いて張り出し部を設けるようにしても構わない。
上記の実施の形態では、下部ガイド部のつめ部が傾斜面を備えていたが、傾斜面はなくても構わない。
【００３９】
上記の実施の形態では、前枠係止部を傾斜させて、傾斜面の傾斜によってつめ部を乗り越えることができるようにしていたが、クリップのような治具によって予め前枠係止部をつめ部にかからない状態に移動させておき、つめ部を越えるとクリップが自動的あるいは手動ではずれて仮固定できるようにしても構わない。
上記の実施の形態では、屋根パネルが前枠固定後に敷設されるようになっていたが、予め屋根パネルを垂木本体部材に支持固定したのち、前枠を固定するようにしても構わない。
上記の実施の形態では、幅方向両側の垂木が屋根パネルの端縁から内側に入ったところに設けられていたが、幅方向両側の屋根パネルの端縁を垂木および屋根パネル支持部材で支持するようにしても構わない。
【符号の説明】
【００４０】
Ａ  テラス屋根（屋根構造体）
１  屋根部
１１  屋根パネル
１１ａ  側面カバー
１１ｂ  端面カバー材
２  垂木
２１  垂木本体部材（垂木本体部）
２１ａ  筒部
２１ｂ  溝部
２２  前キャップ部材
２２ａ  キャップ本体
２２ｂ  固定部
２２ｃ  立上り壁部
２２ｄ  水抜き孔
２３  溝部カバー材
２４  前枠固定金具
２４ａ  垂木固定部
２４ｂ  嵌合溝挿入部
２４ｃ  前枠係止部
２４ｄ  前枠固定部
２５，２６，２７  ビス
３  前枠
３１  前枠本体
３１ａ  横樋部
３２  嵌入部
３２ａ  上部ガイド部
３２ｂ  下部ガイド部
３２ｃ  つめ部
３２ｄ  ピラー
３３  前枠３の端面キャップ
３５  ビス
４  桁材
４０  傾斜面
４１  垂木本体支持金具
４１ａ  桁材固定部
４１ｂ  垂木本体固定部
４２  桁材４の端面キャップ
４４、４５  ビス
５  支柱
６  垂木掛け
６１  アンカーボルト
６４  垂木掛け６の端面キャップ
７ａ  第１パネル支持部材
７ｂ  第２パネル支持部材
７ｃ  第３パネル支持部材
７ｄ  第１パネル押さえ部材
７ｅ  第２パネル押さえ部材
７１、７２、７３、７５、７６  ビス
７４  シール材
８  嵌合溝
９  建物躯体
【図１】
2020012286.tif 000003
【図２】
2020012286.tif 000004
【図３】
2020012286.tif 000005
【図４】
2020012286.tif 000006
【図５】
2020012286.tif 000007
【図６】
2020012286.tif 000008
【図７】
2020012286.tif 000009
【図８】
2020012286.tif 000010
【図９】
2020012286.tif 000011
【図１０】
2020012286.tif 000012
【図１１】
2020012286.tif 000013
【図１２】
2020012286.tif 000014
【図１３】
2020012286.tif 000015
【図１４】
2020012286.tif 000016
【図１５】
2020012286.tif 000017
【図１６】
2020012286.tif 000018
【図１７】
2020012286.tif 000019
【図１８】
2020012286.tif 000020
【図１９】
2020012286.tif 000021
【図２０】
2020012286.tif 000022
【図２１】
2020012286.tif 000023
【図２２】
2020012286.tif 000024
【図２３】
2020012286.tif 000025
【図２４】
2020012286.tif 000026
【図２５】
2020012286.tif 000027